(57)【要約】【課題】  中心孔のあるディスク状光記録媒体を記録再生装置に装着したときに、装置側の駆動部材によるチャッキング性を向上できるとともに光透過層の剥離を防止できるようにしたディスク状光記録媒体を提供をする。【解決手段】  この光ディスク１０は、ディスク状の基体１１と、基体の少なくとも一方の面上に形成された情報記録面１３と、情報記録面を覆う光透過層１２と、ディスク状の基体の中心に位置する中心孔１５と、を備え、中心孔は、中心孔の光透過層側の径ｄ２が光透過層の反対側の径ｄ１に比べて大きくなるように光透過層側の表面から傾斜した傾斜面１６を有し、傾斜面内に基体と光透過層の境界が位置しないように構成した。【選択図】  図２
2005302249.tif 000002
【特許請求の範囲】
【請求項１】
ディスク状の基体と、前記基体の少なくとも一方の面上に形成された情報記録面と、前記情報記録面を覆う光透過層と、ディスク状の基体の中心に位置する中心孔と、を備えるディスク状光記録媒体であって、
前記中心孔は、前記中心孔の前記光透過層側の径が前記光透過層の反対側の径に比べて大きくなるように前記光透過層側の表面から傾斜した傾斜面を有し、前記傾斜面内に前記基体と前記光透過層の境界が位置しないように構成したことを特徴とするディスク状光記録媒体。
【請求項２】
前記中心孔の垂直壁に対する前記傾斜面の傾斜角が５乃至４５度の範囲内であり、
前記中心孔の前記光透過層の表面における径ｄ２及び前記中心孔の前記傾斜面以外における径ｄ１に関し、（ｄ２−ｄ１）／２が１０μｍ乃至１００μｍの範囲内であることを特徴とする請求項１に記載のディスク状光記録媒体。
【請求項３】
ディスク状の基体と、前記基体の少なくとも一方の面上に形成された情報記録面と、前記情報記録面を覆う光透過層と、ディスク状の基体の中心に位置する中心孔と、を備えるディスク状光記録媒体であって、
前記中心孔は、前記中心孔近傍の前記光透過層の表面が凹むことでリング状に形成された段差面を有し、前記中心孔の前記光透過層側の径が前記光透過層の反対側の径に比べて大きいことを特徴とするディスク状光記録媒体。
【請求項４】
前記段差面の外周に切り込み部を有することを特徴とする請求項３に記載のディスク状光記録媒体。
【請求項５】
前記段差面の凹み深さは、前記光透過層の厚みとほぼ同じであることを特徴とする請求項３または４に記載のディスク状光記録媒体。
【請求項６】
前記中心孔の前記光透過層の表面における径ｄ３及び前記中心孔の前記前記段差面以外における径ｄ１に関し、（ｄ３−ｄ１）／２が０．１ｍｍ乃至３ｍｍの範囲内であることを特徴とする請求項３，４または５に記載のディスク状光記録媒体。
【請求項７】
ディスク状の基体と、前記基体の少なくとも一方の面上に形成された情報記録面と、前記情報記録面を覆う光透過層と、ディスク状の基体の中心に位置する中心孔と、を備えるディスク状光記録媒体であって、
前記中心孔は、前記中心孔の前記光透過層側の径が前記光透過層の反対側の径に比べて大きくなるように前記光透過層側の表面から傾斜した傾斜面と、前記傾斜面の前記中心孔内の端から前記光透過層の表面と略平行に前記中心孔の垂直壁まで延びる段差面と、を有することを特徴とするディスク状光記録媒体。
【請求項８】
前記傾斜面と前記段差面との境界近傍に切り込み部を有することを特徴とする請求項７に記載のディスク状光記録媒体。
【請求項９】
前記傾斜面と前記段差面との境界近傍に前記基体と前記光透過層の境界が位置することを特徴とする請求項７または８に記載のディスク状光記録媒体。
【請求項１０】
前記中心孔の垂直壁に対する前記傾斜面の傾斜角が４５度以下であり、
前記中心孔の前記光透過層の表面における径ｄ４及び前記中心孔の前記傾斜面及び前記段差面以外における径ｄ１に関し、（ｄ４−ｄ１）／２が０．１ｍｍ乃至３ｍｍの範囲内であることを特徴とする請求項７，８または９に記載のディスク状光記録媒体。
【請求項１１】
前記傾斜面の前記垂直壁方向の深さが１０μｍ乃至１００μｍの範囲内であることを特徴とする請求項１０に記載のディスク状光記録媒体。
【請求項１２】
前記ディスク状光記録媒体が記録及び再生の少なくとも一方を行う装置に装着されたとき、前記装置側の駆動部材が前記光透過層側から前記中心孔に対し係合することで前記ディスク状光記録媒体がチャッキングされるようになっていることを特徴とする請求項１乃至１１のいずれか１項に記載のディスク状光記録媒体。
【発明の詳細な説明】
【技術分野】
【０００１】  本発明は、記録及び再生の少なくとも一方を行う装置に装着される光ディスク等のディスク状光記録媒体に関するものである。
【背景技術】
【０００２】  従来、ディスク状光記録媒体としてＣＤ（Ｃｏｍｐａｃｔ  Ｄｉｓｃ）に加えてＤＶＤ（Ｄｉｇｉｔａｌ  Ｖｅｒｓａｔｉｌｅ  Ｄｉｓｃ）が公知であり、両光ディスクともに、外径が１２０ｍｍ、厚さが１．２ｍｍに統一されているが、ＤＶＤは照射光として波長が６５０ｎｍ程度のＣＤよりも短いレーザ光を用い、対物レンズの開口数を０．６とＣＤよりも大きくすることでＣＤよりも高密度で大容量の情報を記録・再生できる。光ディスクは、照射光の波長が短く、レンズの開口数が大きいほどディスクの傾き（反り）によりコマ収差が発生して情報の記録・再生精度が低下する傾向があるため、ＤＶＤでは光透過層の厚さをＣＤの半分の０．６ｍｍとすることで、ディスクの傾き（反り）に対するマージンを確保し、情報の記録・再生精度を維持している。【０００３】  最近、ディスク状光記録媒体の更なる高密度化を目指して開発が行われており、ＤＶＤよりも高い記録密度を有するブルーレイディスク等の高密度光ディスクが実用化されている。かかる高密度光ディスクは、例えば、光透過層（カバー層）の厚さを０．１ｍｍとし、波長が４０５ｎｍ程度の青紫色半導体レーザと、開口数が０．８５程度の対物レンズとを用いることにより、ＤＶＤと同じ直径１２０ｍｍの光ディスクでＤＶＤよりも約５倍以上の情報を記録可能である。【０００４】  光ディスクには例えば径１５ｍｍの中心孔が形成されており、光ディスクが記録再生装置に装着されたときに、装置内で中心孔を利用してチャッキングが行われ、回転駆動されるようになっている。かかる中心孔は、打ち抜き等の加工により形成されるが（下記特許文献１参照）、図１２に示すような問題点があった。即ち、図１２のように、光ディスクＤは光透過層ｂ及び中心孔Ｃを有し、光透過層ｂの形成後に中心孔Ｃを打ち抜き加工で形成すると、中心孔Ｃ近傍の光透過層ｂにばり等の突き出し部ｂ１が形成されてしまうことがある。【０００５】  図１２で、光ディスクＤは、装置に装着されると、装置側の駆動スピンドルＳが中心孔Ｃにはまり込み、図の上部から押さえ部材Ｈのマグネットで押さえ付けられることでチャッキングされる。このとき、中心孔Ｃに突き出し部ｂ１があると、駆動スピンドルＳによるチャッキング動作に悪影響を与えるおそれがある。また、光透過層ｂの厚さが光ディスクの高密度化に伴い薄くなると、光透過層ｂが剥離し易くなってしまう。
【特許文献１】  特開２００４−３９１４９号公報
【発明の開示】
【発明が解決しようとする課題】
【０００６】  本発明は、上述のような従来技術の問題に鑑み、中心孔のあるディスク状光記録媒体を記録再生装置に装着したときに、装置側の駆動部材によるチャッキング性を向上できるとともに、光透過層の剥離を防止できるようにしたディスク状光記録媒体を提供することを目的とする。
【課題を解決するための手段】
【０００７】  上記目的を達成するために、本発明による第１のディスク状光記録媒体は、ディスク状の基体と、前記基体の少なくとも一方の面上に形成された情報記録面と、前記情報記録面を覆う光透過層と、ディスク状の基体の中心に位置する中心孔と、を備えるディスク状光記録媒体であって、前記中心孔は、前記中心孔の前記光透過層側の径が前記光透過層の反対側の径に比べて大きくなるように前記光透過層側の表面から傾斜した傾斜面を有し、前記傾斜面内に前記基体と前記光透過層の境界が位置しないように構成したことを特徴とする。【０００８】  この第１のディスク状光記録媒体によれば、中心孔が光透過層側の表面から傾斜した傾斜面を有し光透過層側の中心孔径が反対側の径に比べて大きいので、光透過層側から装置側の駆動部材がはまり込むとき、はまり込み易くなり、中心孔近傍の光透過層にばり等の突き出し部が存在したとしても障害とならず、装置側の駆動部材によるチャッキング性を向上できる。また、中心孔の傾斜面内に基体と光透過層の境界が位置しないので、傾斜面内で光透過層の剥離が起きない。【０００９】  上記第１のディスク状光記録媒体において、前記中心孔の垂直壁に対する前記傾斜面の傾斜角が５乃至４５度の範囲内であり、前記中心孔の前記光透過層の表面における径ｄ２及び前記中心孔の前記傾斜面以外における径ｄ１に関し、（ｄ２−ｄ１）／２が１０μｍ乃至１００μｍの範囲内であることが好ましい。【００１０】  本発明による第２のディスク状光記録媒体は、ディスク状の基体と、前記基体の少なくとも一方の面上に形成された情報記録面と、前記情報記録面を覆う光透過層と、ディスク状の基体の中心に位置する中心孔と、を備えるディスク状光記録媒体であって、前記中心孔は、前記中心孔近傍の前記光透過層の表面が凹むことでリング状に形成された段差面を有し、前記中心孔の前記光透過層側の径が前記光透過層の反対側の径に比べて大きいことを特徴とする。【００１１】  この第２のディスク状光記録媒体によれば、中心孔が光透過層側の表面で凹むことで段差面が存在し、はまり込み易くなり、中心孔近傍の光透過層にばり等の突き出し部が存在したとしても障害とならず、装置側の駆動部材によるチャッキング性を向上できる。【００１２】  上記第２のディスク状光記録媒体において、前記傾斜面と前記段差面との境界近傍に切り込み部を有することが好ましく、これにより、光透過層が剥離し難くなり、光透過層の剥離をより確実に防止できる。【００１３】  また、前記段差面の凹み深さは、前記光透過層の厚みとほぼ同じであることで、光透過層が段差面とほぼ同じ高さになるので、光透過層が剥離し難くなり、光透過層の剥離をより確実に防止できる。【００１４】  また、前記中心孔の前記光透過層の表面における径ｄ３及び前記中心孔の前記前記段差面以外における径ｄ１に関し、（ｄ３−ｄ１）／２が０．１ｍｍ乃至３ｍｍの範囲内であることが好ましい。【００１５】  本発明による第３のディスク状光記録媒体は、ディスク状の基体と、前記基体の少なくとも一方の面上に形成された情報記録面と、前記情報記録面を覆う光透過層と、ディスク状の基体の中心に位置する中心孔と、を備えるディスク状光記録媒体であって、前��中心孔は、前記中心孔の前記光透過層側の径が前記光透過層の反対側の径に比べて大きくなるように前記光透過層側の表面から傾斜した傾斜面と、前記傾斜面の前記中心孔内の端から前記光透過層の表面と略平行に前記中心孔の垂直壁まで延びる段差面と、を有することを特徴とする。【００１６】  この第３のディスク状光記録媒体によれば、中心孔が光透過層側の表面から傾斜した傾斜面を有し光透過層側の中心孔径が反対側の径に比べて大きく、更に段差面が傾斜面の端から中心孔の垂直壁まで延びているので、中心孔近傍の光透過層にばり等の突き出し部が存在したとしても障害とならず、装置側の駆動部材によるチャッキング性を向上できる。【００１７】  上記第３のディスク状光記録媒体において前記傾斜面と前記段差面との境界近傍に切り込み部を有することが好ましく、これにより、光透過層が剥離し難くなり、光透過層の剥離を防止できる。【００１８】  また、前記傾斜面と前記段差面との境界近傍に前記基体と前記光透過層の境界が位置することで、光透過層が剥離し難くなり、光透過層の剥離を防止できる。【００１９】  また、前記中心孔の垂直壁に対する前記傾斜面の傾斜角が４５度以下であり、前記中心孔の前記光透過層の表面における径ｄ４及び前記傾斜面及び前記中心孔の前記段差面以外における径ｄ１に関し、（ｄ４−ｄ１）／２が０．１ｍｍ乃至３ｍｍの範囲内であることが好ましい。この場合、前記傾斜面の前記垂直壁方向の深さが１０μｍ乃至１００μｍの範囲内であることが好ましい。【００２０】  上記各ディスク状光記録媒体において、ディスク状光記録媒体が記録及び再生の少なくとも一方を行う装置に装着されたとき、前記装置側の駆動部材が前記光透過層側から前記中心孔に対し係合することで前記ディスク状光記録媒体がチャッキングされるようになっていることが好ましい。
【発明の効果】
【００２１】  本発明のディスク状光記録媒体によれば、中心孔のあるディスク状光記録媒体を記録再生装置に装着したときに、装置側の駆動部材によるチャッキング性を向上でき、また光透過層の剥離を防止できる。
【発明を実施するための最良の形態】
【００２２】  以下、本発明を実施するための最良の形態について図面を用いて説明する。【００２３】  〈第１の実施の形態〉【００２４】  図１は第１の実施の形態による光ディスクの断面図である。図２は図１の光ディスクの中心孔近傍を拡大して示す要部断面図である。図３は図２の中心孔近傍を更に拡大して示す拡大要部断面図である。【００２５】  図１に示すように、第１の実施の形態によるディスク状光記録媒体としての光ディスク１０は、ディスク状の基体１１と、基体１１の一方の面上に設けられた情報記録面１３と、情報記録面１３を覆うようにして設けられた光透過層１２と、ディスク状の基体１１の中心に設けられた中心孔１５と、を備える。【００２６】  図２，図３のように、中心孔１５は、基体１１の両面に対し垂直に形成された直径ｄ１の垂直壁１７と、光透過層１２側の表面１４で直径ｄ２が直径ｄ１よりも大きくなるように表面１４から傾斜する傾斜面１６と、を有する。【００２７】  傾斜面１６は、図３のように、垂直壁１７との間でなす傾斜角θが５〜４５度の範囲内であることが好ましく、５度未満であると、チャッキングし難くなり、４５度を超えると、製造時に光透過層１２を切断し難くなる。【００２８】  また、中心孔１５の光透過層１２側の表面１４における直径ｄ２と傾斜面以外における直径ｄ１とは、（ｄ２−ｄ１）／２が１０μｍ乃至１００μｍの範囲内であることが好ましい。（ｄ２−ｄ１）／２が１０μｍ未満であると、チャッキングし難くなり、１００μｍを越えると、光透過層１２が剥離する可能性が生じる。【００２９】  また、基体１１と光透過層１２との間の境界に情報記録面１３が位置するが、この境界位置が垂直壁１７にあり、傾斜面１６内に存在しない。【００３０】  次に、図１乃至図３の光ディスクの製造工程について図４（ａ）乃至（ｄ）を参照して説明する。【００３１】  まず、基体１１を樹脂成形により製造する。一対の成形金型（図示省略）に溶融したポリカーボネート等の樹脂を射出することで、例えば、直径が１２０ｍｍ、厚さが１．１ｍｍで情報記録面１３の反対面中心部に円形凹部１５ａを有するディスク状に成形する。円形凹部１５ａは後工程を経ることで中心孔１５となるが、図１〜図３の中心孔１５の垂直壁１７は円形凹部１５ａの成形時に形成される。また、この成形の際に、成形金型内に配置されたスタンパ（図示省略）により情報記録面１３に所定の微細な凹凸等を形成する。なお、成形樹脂として、ポリカーボネートに代えてアクリル、エポキシ等の樹脂を用いてもよい。【００３２】  次に、ディスク状基体１１の情報記録面１３に機能層を形成する。例えば、光ディスク１０が情報再生専用タイプの場合、機能層として反射層を情報記録面１３に形成する。また、光ディスク１０が情報の記録・再生可能なタイプである場合、機能層として反射層、記録層をこの順で情報記録面１３に形成する。反射層はＡｌ、Ａｇ、Ａｕ等からなり、スパッタリング法、蒸着法等により形成できる。記録層は相変化材料、色素材料、光磁気材料等からなり、スパッタリング法、スピンコート法、蒸着法等により形成できる。【００３３】  次に、図４（ｂ）のように、ディスク状基体１１の情報記録面１３上に光透過層１２を��ピンコート法により形成する。即ち、基体１１を水平に配置して回転駆動し、基体１１の中心部に紫外線硬化性樹脂を上方から所定量供給し、樹脂に遠心力が作用することで樹脂が径方向外側に付勢されて情報記録面１３全体に展延される。この後、紫外線照射により樹脂を硬化させることで、情報記録面１３上に例えば厚さ０．１ｍｍの平坦な光透過層１２を形成する。【００３４】  次に、ディスク状基体１１の光透過層１２の表面１４に切り込みを形成する。即ち、図４（ｃ）の破線のように、切り込み工具の刃部１８ａを凹部１５ａの垂直壁１７に対応する位置で光透過層１２の表面１４に当接させた状態で基体１１を回転させることにより光透過層１２に円形の切り込み１８を円形状に形成する。切り込み１８の深さは光透過層１２の厚さに達しない程度とする。【００３５】  上記切り込み１８の外周側の傾斜面は、図３の光ディスク１０の傾斜面１６に対応する。従って、刃部１８ａの外周側面１８ｂの切り込み工具の垂直方向に対する傾斜角を変えることで、図１〜図３の光ディスク１０の傾斜面１６の傾斜角θ及び中心孔１５の表面１４側の直径ｄ２を調整することができる。【００３６】  次に、上記円形の切り込み１８を打ち抜くことで中心孔を形成する。即ち、図４（ｄ）のように、円形の打ち抜き工具１９は、図１〜図３の光ディスクの中心孔１５の直径と等しい外径の刃部１９ａを有する。この刃部１９ａを円形の切り込み１８に一致するように打ち抜き工具１９を表面１４に対向させてから、打ち抜き工具１９を表面１４の方向に付勢し、光透過層１２及び基体１１を打ち抜く。【００３７】  上記打ち抜きにより、基体１１の凹部１５ａが貫通し、図１〜図３のように、基体１１及び光透過層１２の中心に中心孔１５が形成された光ディスク１０を得ることができる。【００３８】  次に、図１〜図３の光ディスク１０の記録再生装置への装着動作について図５を参照して説明する。図５（ａ）、（ｂ）は、図１〜図３の光ディスクを記録再生装置に装着する動作を示す概略的な側断面図である。【００３９】  図５（ａ）、（ｂ）に示すように、記録再生装置は、光ディスク１０を回転駆動するモータ５と、光ディスク１０の中心孔１５に嵌り込むクランプ軸６と、クランプ軸６が一体に設けられかつモータ５により回転されるクランプ台７と、光ディスク１０を挟んでクランプ台７の反対側に位置するように配置されたクランプ押さえ部８と、クランプ押さえ部８を光ディスク１０側に付勢するコイルばね等からなる付勢部材９と、を備える。クランプ軸６の先端面にはマグネット６ａが設けられており、クランプ軸６が磁性材料からなるクランプ押さえ部８を吸引可能になっている。【００４０】  図５（ａ）のように、図１〜図３の光ディスク１０を記録再生装置に装着すると、光ディスク１０が光透過層１２側で駆動部材であるクランプ台７・クランプ軸６に対し相対的に接近し、図の破線のように、クランプ軸６が光ディスク１０の中心孔１５に接近し光透過層１２側から嵌り込み始める。そして、図５（ｂ）のように、クランプ軸６が光ディスク１０の中心孔１５に嵌り込むと、クランプ台７の反対側からクランプ押さえ部８が光ディスク１０を中心孔１５の近傍で付勢部材９により付勢���れて押さえ付けかつマグネット６ａがクランプ押さえ部８を吸引することで、クランプ台７が光ディスク１０を中心孔１５の近傍で固定しチャッキングする。かかるチャッキング状態でモータ５を回転させると、クランプ台７・クランプ軸６を介して光ディスクＤが回転し、ピックアップ部（図素省略）で光ディスク１０から情報を読み取る（再生）か、または、光ディスク１０に情報を書き込む（記録）。【００４１】  以上のように、第１の実施の形態の光ディスク１０によれば、図１〜図３の光ディスク１０を記録再生装置に装着し、クランプ軸６が光ディスク１０の中心孔１５に光透過層１２側から嵌り込むとき、中心孔１５が傾斜面１６を有し光透過層１２側の中心孔径ｄ２が比較的大きいので、嵌り込み易くなり、中心孔１５近傍の光透過層１２にばり等の突き出し部が存在したとしても障害とならず、装置側のクランプ台７・クランプ軸６によるチャッキング性を向上できる。【００４２】  また、光ディスク１０の中心孔１５の傾斜面１６内に基体１１と光透過層１２の境界が位置しないので、傾斜面１６内で光透過層１２の剥離が起きない。【００４３】  〈第２の実施の形態〉【００４４】  図６は第２の実施の形態による光ディスクの断面図である。図７は図６の光ディスクの中心孔近傍を拡大して示す要部断面図である。なお、図６，図７では、図１〜図３と同じ部分には、同じ符号を付し、その説明は省略する。【００４５】  図６，図７に示すように、第２の実施の形態によるディスク状光記録媒体としての光ディスク２０は、中心孔１５近傍の光透過層１２の表面１４が凹むように形成され、リング状に段差面２１が形成されている。段差面２１が存在するので、中心孔１５は光透過層１２側の直径ｄ３が反対側の径ｄ１に比べて大きくなっている。【００４６】  また、光透過層１２の表面１４と段差面２１との高さｈ（図７）は、光透過層１２の厚みとほほ同じになっているので、段差面２１の位置が基体１１と光透過層１２との境界にほぼ一致している。このため、光透過層１２が剥離し難くなっている。【００４７】  また、図７の破線に示すように、段差面２１と光透過層１２との境界外周部２２に基体１１側に切り込み部２３を設けることで、切り込み部２３で光透過層１２が基材１１の切り込みで発生した樹脂で覆われるため光透過層１２がより剥離し難くなり、好ましい。【００４８】  中心孔１５の光透過層１２側の表面１４における直径ｄ３と段差面２１以外における直径ｄ１とは、（ｄ３−ｄ１）／２が０．１ｍｍ乃至３ｍｍの範囲内であることが好ましい。（ｄ３−ｄ１）／２が０．１ｍｍ未満であると、チャッキングし難くなり、３ｍｍを越えると、製造時に打ち抜いた光透過層１２をはがし難くなる。【００４９】  図６，図７の光ディスク２０によれば、中心孔１５が光透過層１２側の表面１４から凹むことで段差面２１が存在し、光透過層１２側の中心孔径ｄ３が反対側の径ｄ１に比べて大きいので、図５（ａ）、（ｂ）と同様に、光透過層１２側から装置側の駆動部材であるクランプ台７のクランプ軸６が中心孔１５にはまり込むとき、はまり込み易くなり、中心孔１５近傍の光透過層１２にばり等の突き出し部が存在したとしても障害とならず、装置側の駆動部材に���るチャッキング性を向上できる。【００５０】  〈第３の実施の形態〉【００５１】  図８は第３の実施の形態による光ディスクの断面図である。図９は図８の光ディスクの中心孔近傍を拡大して示す要部断面図である。図１０は図９の中心孔近傍を更に拡大して示す拡大要部断面図である。なお、図８〜図１０では、図６，図７と同じ部分には、同じ符号を付し、その説明は省略する。【００５２】  図８〜図１０に示すように、第３の実施の形態によるディスク状光記録媒体としての光ディスク３０は、中心孔１５近傍の光透過層１２の表面１４から傾斜した傾斜面２５と、傾斜面２５の端部２６から中心孔１５の垂直壁１７に向けて表面１４にほぼ平行に延びるようにしてリング状に形成された段差面２４と、を有する。光透過層１２の表面１４側に傾斜面２５及び段差面２４が存在するので、中心孔１５は光透過層１２側の直径ｄ４が反対側の径ｄ１に比べて大きくなっている。【００５３】  また、光透過層１２の表面１４と段差面２４との高さｈ（図９）は、光透過層１２の厚みとほほ同じになっているので、段差面２４の位置が基体１１と光透過層１２との境界にほぼ一致している。このため、光透過層１２が剥離し難くなっている。【００５４】  また、図１０の破線に示すように、段差面２４と傾斜面２５との端部２６に基体１１側に切り込み部２７を設けることで、切り込み部２７で光透過層１２が基材１１の切り込みで発生した樹脂で覆われるため光透過層１２がより剥離し難くなり、好ましい。【００５５】  傾斜面２５は、図９のように、垂直壁１７との間でなす傾斜角γが４５度以下であることが好ましく、４５度を超えると、製造時に傾斜面を形成し難くなる。【００５６】  中心孔１５の光透過層１２側の表面１４における直径ｄ４と段差面２４及び傾斜面２５以外における直径ｄ１とは、（ｄ４−ｄ１）／２が０．１ｍｍ乃至３ｍｍの範囲内であることが好ましい。（ｄ４−ｄ１）／２が０．１ｍｍ未満であると、チャッキングし難くなり、３ｍｍを越えると、製造時に打ち抜いた光透過層１２をはがし難くなる。【００５７】  図８〜図１０の光ディスク３０によれば、中心孔１５が光透過層１２側の表面１４に傾斜面２５及び段差面２４が存在し、光透過層１２側の中心孔径ｄ４が反対側の径ｄ１に比べて大きいので、図５（ａ）、（ｂ）と同様に、光透過層１２側から装置側の駆動部材であるクランプ台７のクランプ軸６が中心孔１５にはまり込むとき、はまり込み易くなり、中心孔１５近傍の光透過層１２にばり等の突き出し部が存在したとしても障害とならず、装置側の駆動部材によるチャッキング性を向上できる。【００５８】  なお、図６，図７の光ディスク２０及び図８〜図１０の光ディスク３０は、図４（ａ）乃至（ｄ）と同様にして形成することができるが、光ディスク２０、３０の場合は、図１１のように、円形の切り込み２８を凹部１５ａよりも直径を大きくかつ光透過層１２の厚みとほぼ同じ深さに形成する。なお、図７の切り込み部２３及び図９の切り込み部２７を形成する場合は、図１１の切り込み２８を光透過層１２の厚みよりも深く形成する。【００５９】  光ディスク２０の場合は、図１１において円形の切り込み２８の外周側面２８ａを表面１４に対しほぼ垂直になるように形成する。このため、切り込み工具の刃部において切り込み２８の外周側面２８ａに対応する刃面を表面１４に対しほぼ垂直な面にする。【００６０】  光ディスク３０の場合は、図１１において円形の切り込み２８の外周側面２８ａを表面１４に対し傾斜するように形成する。このため、切り込み工具の刃部において切り込み２８の外周側面２８ａに対応する刃面を表面１４に対し傾斜した面にする。【００６１】  以上のように本発明を実施するための最良の形態について説明したが、本発明はこれらに限定されるものではなく、本発明の技術的思想の範囲内で各種の変形が可能である。例えば、光ディスク１０，２０，３０は、一方の面にだけ情報記録面を有する片面タイプであるが、本発明はこれに限定されず、両面に情報記録面を有する両面タイプでであってもよく、この場合は、両面に、傾斜面１６または段差面２１または傾斜面２５及び段差面２４を設けることで、片面タイプと同様に効果を得ることができる。
【図面の簡単な説明】
【００６２】
【図１】  第１の実施の形態による光ディスクの断面図である。
【図２】  図１の光ディスクの中心孔近傍を拡大して示す要部断面図である。
【図３】  図２の中心孔近傍を更に拡大して示す拡大要部断面図である。
【図４】  図１乃至図３の光ディスクの製造工程（ａ）乃至（ｄ）を説明するための断面図である。
【図５】  図５（ａ）、（ｂ）は、図１〜図３の光ディスクを記録再生装置に装着する動作を示す概略的な側断面図である。
【図６】  第２の実施の形態による光ディスクの断面図である。
【図７】  図６の光ディスクの中心孔近傍を拡大して示す要部断面図である。
【図８】  第３の実施の形態による光ディスクの断面図である。
【図９】  図８の光ディスクの中心孔近傍を拡大して示す要部断面図である。
【図１０】  図９の中心孔近傍を更に拡大して示す拡大要部断面図である。
【図１１】  図６の光ディスク２０及び図８の光ディスク３０を製造する工程を説明するための図であり、図４（ｃ）に対応する断面図である。
【図１２】  従来の光ディスクを記録再生装置に装着したときの問題を説明するための側断面図である。
【符号の説明】
【００６３】６  クランプ軸（装置側の駆動部材）
７  クランプ台（装置側の駆動部材）
１０，２０，３０  光ディスク
１１  ディスク状の基体
１２  光透過層
１３  情報記録面
１４  光透過層の表面
１５  中心孔
１６  傾斜面
１７  垂直壁
１８  切り込み
２１  段差面
２２  境界外周部
２３，２７  切り込み部
２４  段差面
２５  傾斜面
θ，γ  傾斜角
ｄ１  中心孔の直径
ｄ２、ｄ３，ｄ４  表面１４側の中心孔の直径
【図１】
2005302249.tif 000003
【図２】
2005302249.tif 000004
【図３】
2005302249.tif 000005
【図４】
2005302249.tif 000006
【図５】
2005302249.tif 000007
【図６】
2005302249.tif 000008
【図７】
2005302249.tif 000009
【図８】
2005302249.tif 000010
【図９】
2005302249.tif 000011
【図１０】
2005302249.tif 000012
【図１１】
2005302249.tif 000013
【図１２】
2005302249.tif 000014